(57)【要約】【課題】軸方向からの電磁波の侵入を防止可能な構造とする。【解決手段】アダプタ取付板１０の取付孔１０ａより大きな外径のベゼル２ｂ、３ｂが対向端に突設されると共に、内部ハウジング４，５の嵌合孔２ｃ、３ｃが軸方向に貫通した２個一対の金属製の外部ハウジング２，３と、光コネクタの挿入孔４ａ、５ａが軸方向に貫通すると共に、当該貫通孔４ａ、５ａに挿入されたスリーブホルダ７の押え部４ａ、５ａが対向端の内側に突設され、前記嵌合孔２ｃ、３ｃに嵌合される２個一対の合成樹脂製の内部ハウジング４，５と、スリーブホルダ７の圧入孔６ａが形成されており、スリーブホルダ７の圧入状態で内部ハウジング４，５の押え部４ａ、５ａ及び外部ハウジング２，３のベゼル２ｂ、３ｂに挟持されることによりスリーブホルダ７から外部ハウジング２，３のベゼル２ｂ、３ｂにかけた領域を遮断するように配置される金属プレート６とを備える。【選択図】　　　　　図１０
2004061620.tif 000002
【特許請求の範囲】
【請求項１】
アダプタ取付板の取付孔より大きな外径のベゼルが対向端に突設されると共に、内部ハウジングの嵌合孔が軸方向に貫通した２個一対の金属製の外部ハウジングと、
光コネクタの挿入孔が軸方向に貫通すると共に、当該貫通孔に挿入されたスリーブホルダの押え部が対向端の内側に突設され、前記嵌合孔に嵌合される２個一対の合成樹脂製の内部ハウジングと、
前記スリーブホルダの圧入孔が形成されており、スリーブホルダの圧入状態で内部ハウジングの押え部及び外部ハウジングのベゼルに挟持されることによりスリーブホルダから外部ハウジングのベゼルにかけた領域を遮断するように配置される金属プレートと、を備えていることを特徴とする光コネクタアダプタ。
【請求項２】
２個一対の外部ハウジングのベゼルのそれぞれに組付孔が対向するように形成され、組付孔の連通状態に対し金属製の筒部材を貫通させ、端部を加締めることにより外部ハウジングを組み付けることを特徴とする請求項１記載の光コネクタアダプタ。
【発明の詳細な説明】
【０００１】
【発明の属する技術分野】
本発明は、両側から光コネクタが挿入されることにより、光通信用の光ケーブルの接続を行う光コネクタアダプタに関する。
【０００２】
【従来の技術】
ＭＵタイプの従来の光コネクタアダプタは、筒状のハウジングと、ハウジング内に軸方向に一体的に形成されたスリーブホルダとを有した構造となっている。スリーブホルダは、光コネクタが挿入されるスリーブを保持するものであり、スリーブはスリーブホルダ内を軸方向に貫通した状態で保持される。
【０００３】
このような構造の光コネクタアダプタは、筒状のハウジングの全体が合成樹脂によって形成されており、ハウジングの内部には、軸方向に貫通する空洞部が形成されることにより、光コネクタの挿入が可能となっている。
【０００４】
【発明が解決しようとする課題】
従来の光コネクタアダプタでは、筒状となっているハウジングが合成樹脂によって形成されていることから、軸方向に沿った方向からの電磁波の侵入を阻止することができないものとなっている。そして、侵入した電磁波が機器内部まで侵入し、この侵入によってノイズ障害を引き起こす原因となっている。
【０００５】
本発明は、このような従来の問題点を考慮してなされたものであり、ハウジング内への電磁波の侵入を良好に阻止することができ、これにより、ノイズ障害を防止することが可能な光コネクタアダプタを提供することを目的とする。
【０００６】
【課題を解決するための手段】
上記目的を達成するため、請求項１の発明の光コネクタアダプタは、アダプタ取付板の取付孔より大きな外径のベゼルが対向端に突設されると共に、内部ハウジングの嵌合孔が軸方向に貫通した２個一対の金属製の外部ハウジングと、光コネクタの挿入孔が軸方向に貫通すると共に、当該貫通孔に挿入されたスリーブホルダの押え部が対向端の内側に突設され、前記嵌合孔に嵌合される２個一対の合成樹脂製の内部ハウジングと、前記スリーブホルダの圧入孔が形成されており、スリーブホルダの圧入状態で内部ハウジングの押え部及び外部ハウジングのベゼルに挟持されることによりスリーブホルダから外部ハウジングのベゼルにかけた領域を遮断するように配置される金属プレートと、を備えていることを特徴とする。
【０００７】
この発明では、スリーブホルダが圧入された金属プレートを、内部ハウジングの押え部及び外部ハウジングのベゼルの間に挟み込み、この状態で一対の外部ハウジングを相互に組み付けることにより、光コネクタアダプタが形成される。この組み付け状態では、金属プレートがスリーブホルダから外部ハウジングのベゼルにかけた領域を遮断すると共に、外部ハウジングが金属によって成形されていることから、ハウジングの軸方向に沿った電磁波を外部ハウジングの端面やベゼルの端面、金属プレートによって阻止することができる。このため、電磁波侵入に起因したノイズ障害を防止することができる。
【０００８】
また、外部ハウジング及び内部ハウジングが共に対となった同一形状のものを使用するため、これらを容易に製造できると共に、左右部品の組付ミスも生じないため、光コネクタアダプタの組み付けを容易に行うことができる。
請求項２の発明は、請求項１記載の光コネクタアダプタであって、２個一対の外部ハウジングのベゼルのそれぞれに組付孔が対向するように形成され、組付孔の連通状態に対し金属製の筒部材を貫通させ、端部を加締めることにより外部ハウジングを組み付けることを特徴とする。
【０００９】
この発明では、筒部材の端部を加締めることにより外部ハウジングが組み付けられるため、外部ハウジングの組み付けを簡単に行うことができると共に、筒部材が金属製のため強固な組み付けを行うことができる。
【００１０】
【発明の実施の形態】
以下、本発明を図示する実施の形態により具体的に説明する。
図１は本発明の一実施の形態の分解斜視図、図２は組み付け状態の斜視図、図３は側面図、図４及び図５は正面図及び平面図、図６は図３のＡ−Ａ線矢視断面図、図７は図３のＢ−Ｂ線矢視断面図、図８は図６に対応した組み付け手順を示す断面図、図９は図７に対応した組付手順を示す断面図、図１０はアダプタ取付板への装着状態を示す断面図である。
【００１１】
この実施の形態の光コネクタアダプタ１は、２個一対の左右の外部ハウジング２，３と、２個一対の左右の内部ハウジング４，５と、金属プレート６と、スリーブホルダ７とを有している。
【００１２】
２個一対の外部ハウジング２，３は、外形が横長矩形状のハウジング本体２ａ，３ａと、ハウジング本体２ａ，３ａにおける対向端に軸方向と直交する方向に延びたベゼル２ｂ，３ｂとを一体的に有しており、ハウジング本体２ａ，３ａには、矩形状の嵌合孔２ｃ，３ｃが形成されている。それぞれの嵌合孔２ｃ，３ｃにおける対向端との反対側には、内側に折り曲げられたストッパ部２ｇ，３ｇが形成されている。嵌合孔２ｃ，３ｃは後述する内部ハウジング４，５が挿入されて嵌合するものであり、ストッパ部２ｇ，３ｇは挿入された内部ハウジング４，５の抜け出るのを阻止させるものである。
【００１３】
ベゼル２ｂ，３ｂは、矩形板状となっており、相互に突き合わせられた状態で後述する金属製の筒部材８によって組み付けられる。金属製の筒部材８は、ベゼル２ｂ，３ｂを貫通した状態でこれらを組み付けるものであり、このため各ベゼル２ｂ，３ｂには、筒部材８が貫通するための２つの組付孔２ｄ，３ｄが対向位置に形成されている。さらに、外部ハウジング２，３の組み付け時の相互の位置合わせを行うため、相互に嵌合するピン２ｅ，３ｅ及びピン孔２ｆ、３ｆ（外部ハウジング２のピン２ｅ及びピン孔２ｆは図示されていない。）が対向位置に形成されている。
【００１４】
かかる外部ハウジング２，３は組み付け状態で図１０に示す金属製のアダプタ取付板１０に取り付けられるものであり、ベゼル２ｂ，３ｂは、アダプタ取付板１０の取付孔１０ａよりも大径に成形されている。さらに、２個一対の外部ハウジング２，３は、同一形状となるように金属により成形される。この金属としては、亜鉛合金、その他の金属が用いられる。
【００１５】
２個一対の内部ハウジング４，５は、それぞれ外部ハウジング２，３の嵌合孔２ｃ，３ｃに嵌合することにより外部ハウジング２，３に取り付けられる。このため、内部ハウジング４，５は嵌合孔２ｃ，３ｃと相応した矩形の外形となっている。また、内部ハウジング４，５には、光コネクタの挿入孔４ａ，５ａが矩形状となって軸方向に貫通している。
【００１６】
対となっている内部ハウジング４，５の対向端の内側には、後述するスリーブホルダ７の押え部４ｂ，５ｂが形成されている。この実施の形態において、スリーブホルダ７が同心円となっている段状の圧入環７ａを有し、押え部４ｂ，５ｂは、この圧入環７ａを押さえることから段状のリング形状に形成されている。以上の２個一対の内部ハウジング４，５は、同一形状となるように全体が合成樹脂によって形成されている。
【００１７】
このように対となっている外部ハウジング２，３及び対となっている内部ハウジング４，５が同一形状に成形されることにより、これらの製造が容易となると共に、左右に関係なく組み付けることができるため組付ミスが生じることがなくなる。
【００１８】
スリーブホルダ７は、スリーブ（割スリーブ）９を保持するものである。スリーブホルダ７は、共に円筒状の第１部材７ｂ及び第２部材７ｃを嵌合することにより組み立てられるものであり、この組み立て状態に対してスリーブ９が軸方向に貫通するように挿入される。この場合、第１部材７ｂが第２部材７ｃ内に挿入されて嵌合するものであり、第２部材７ｃの外側には上述した段状の圧入環７ａが形成されている。さらに、スリーブホルダ７の全体は金属により形成されている。
【００１９】
金属プレート６は、導電性の良い金属板（例えば黄銅板等）からなり、スリーブホルダ７の圧入環７ａが圧入される圧入孔６ａが中央部分に形成されている。
【００２０】
金属プレート６は、外部ハウジング２，３のベゼル２ｂ，３ｂの外形と略同じ矩形の外形に成形されている。この金属プレート６は、圧入孔６ａに圧入環７ａが圧入されることにより、図８及び図９に示すようにスリーブホルダ７を保持した状態で、外部ハウジング２，３のベゼル２ｂ，３ｂ及び内部ハウジング４，５の押え部４ｂ，５ｂの間に挟まれる。この挟持状態において、金属プレート６はスリーブホルダ７からベゼル２ｂ，３ｂにかけた領域を遮断する。なお、金属プレート６には、筒部材８及び外部ハウジング２，３のピン２ｅ，３ｅが貫通するための孔部６ｂ，６ｃが対向位置に形成されている。
【００２１】
次に、この実施の形態の光コネクタアダプタ１の組み付けを説明する。図８及び図９に示すように、内部ハウジング４を対向端側（ベゼル２ｂ側）から外部ハウジング２の嵌合孔２ｃに挿入して嵌合させると共に、内部ハウジング５をベゼル３ｂ側から外部ハウジング３の嵌合孔３ｃに挿入して嵌合させる。これらの内部ハウジング４，５は、ストッパ部２ｇ，３ｇに当接することにより、挿入動作がストップされる。
【００２２】
一方、スリーブホルダ７にスリーブ９を挿入した後、スリーブホルダ７の圧入環７ａを圧入孔６ａに圧入させて、スリーブホルダ７と金属プレート６とを組み付ける。この組み付け状態においては、金属プレート６は径方向に延びた状態となっている。
【００２３】
次に、スリーブホルダ７を外部ハウジング２及び３の間に配置した状態で、外部ハウジング２，３を相互に接近させる。これにより、スリーブホルダ７はそれぞれの内部ハウジング４，５の挿入孔４ａ，５ａに挿入される。この挿入動作は、内部ハウジング４，５の押え部４ｂ，５ｂがスリーブホルダ７の圧入環７ａに当接することにより停止する。
【００２４】
この状態では、金属プレート６は内部ハウジング４，５の押え部４ｂ，５ｂ及び外部ハウジング２，３のベゼル２ｂ，３ｂに挟まれた状態となる。また、ベゼル２ｂ，３ｂの組付孔２ｄ，３ｄが相互に連通する。かかる連通状態に対して、鳩目等の金属製の筒部材８を貫通させ、その貫通端を加締めることにより外部ハウジング２，３を組み付けて光コネクタアダプタ１を作製する。図７において、８ａは筒部材８の加締め部分を示す。
【００２５】
図１０は、以上により組み付けられた光コネクタアダプタ１をアダプタ取付板１０に固定した状態を示す。アダプタ取付板１０への取り付けは、取付孔１０ａに外部ハウジング２を挿入することにより行われる。このとき、外部ハウジング２には取付孔１０ａよりも大径のベゼル２ｂが形成されているため、ベゼル２ｂがアダプタ取付板１０に当接することにより取り付けが行われる。このアダプタ取付板１０への固定は、一般的にはねじによって行われるが、その固定手段は限定されるものではない。
【００２６】
このような実施の形態では、スリーブホルダ７、金属プレート６、外部ハウジング２，３及びアダプタ取付板１０が金属によって形成されていると共に、金属プレート６がスリーブホルダ７から外部ハウジング２，３のベゼル２ｂ，３ｂにかけての領域を遮断した状態となっている。このため、図１０の矢印で示す電磁波Ｎが軸方向に沿った状態で進行してきた場合であっても、アダプタ取付板１０、外部ハウジング２のストッパ部２ｇ、外部ハウジング２のベゼル２ｂ、金属プレート６、スリーブホルダ７によって侵入を阻止することができる。このため、電磁波侵入に起因したノイズ障害を防止することができる。
【００２７】
また、対となっている外部ハウジング２，３が同じ形状となっていると共に、対となっている内部ハウジング４，５が同じ形状となっているため、ミスのない組み付けを行うことができる。
【００２８】
さらに、外部ハウジング２，３が金属によって成形されているため、大きな強度を有し、耐久性のある光コネクタアダプタとすることができる。
【００２９】
【発明の効果】
本願発明は、以上説明したように構成されるため、下記の効果を奏する。
請求項１の発明によれば、ハウジングの軸方向に沿った電磁波を外部ハウジングの端面やベゼルの端面、金属プレートによって阻止するため、電磁波侵入に起因したノイズ障害を防止することができる。また、外部ハウジング及び内部ハウジングとして対となった同一形状のものを使用するため、これらを容易に製造できると共に、組付ミスが生じることがなくなる。
【００３０】
また、請求項２の発明によれば、請求項１の発明の効果に加えて、外部ハウジングの組み付けを簡単に行うことができると共に、強固な組み付けを行うことが可能となり、耐久性のあるものとすることができる。
【図面の簡単な説明】
【図１】本発明の一実施の形態における光コネクタアダプタの分解斜視図である。
【図２】組み付け状態の斜視図である。
【図３】組み付け状態の側面図である。
【図４】組み付け状態の正面図である。
【図５】組み付け状態の平面図である。
【図６】図３におけるＡ−Ａ線矢視断面図である。
【図７】図３におけるＢ−Ｂ線矢視断面図である。
【図８】図６に対応した組み付け手順を示す断面図である。
【図９】図７に対応した組み付け手順を示す断面図である。
【図１０】アダプタ取付板への装着状態を示す断面図である。
【符号の説明】
１　　　　　光コネクタアダプタ
２，３　　　外部ハウジング
２ｂ，３ｂ　ベゼル
２ｃ，３ｃ　嵌合孔
４，５　　　内部ハウジング
４ａ，５ａ　挿入孔
６　　　　　金属プレート
６ａ　　　　圧入孔
７　　　　　スリーブホルダ
１０　　　　アダプタ取付板
【図１】
2004061620.tif 000003
【図２】
2004061620.tif 000004
【図３】
2004061620.tif 000005
【図４】
2004061620.tif 000006
【図５】
2004061620.tif 000007
【図６】
2004061620.tif 000008
【図７】
2004061620.tif 000009
【図８】
2004061620.tif 000010
【図９】
2004061620.tif 000011
【図１０】
2004061620.tif 000012